(57)【要約】【課題】用紙への転写の際におけるトナー像の飛散を抑制することができる画像形成装置を提供する。【解決手段】画像形成装置が、トナー像形成部で形成されるトナー像が、用紙への転写の際にトナーの飛散を招く飛散トナー像であるか否かを判定する画像判定部と、この画像判定部によって飛散トナー像であることが判定された場合に、飛散トナー像ではないことが判定された場合と比較し、トナー像形成部における用紙の搬送速度およびトナー像の用紙への転写の速度を低速度に制御する速度制御部とを備えた。【選択図】        図５
2014085508.tif 000002
【特許請求の範囲】
【請求項１】
画像データに基づくトナー像を形成し、該トナー像を、搬送されてきた用紙上に、該用紙の搬送に合わせて、該用紙の搬送方向前端側から後端側にかけて連続的に転写するトナー像形成部と、
前記トナー像形成部よりも用紙搬送方向下流側に配置され、該トナー像形成部において用紙上に転写されたトナー像を該用紙上に定着する定着部と、
前記トナー像形成部で形成されるトナー像が、用紙への転写の際にトナーの飛散を招く飛散トナー像であるか否かを判定する画像判定部と、
前記画像判定部によって前記飛散トナー像であることが判定された場合に、該飛散トナー像ではないことが判定された場合と比較し、前記トナー像形成部における用紙の搬送速度およびトナー像の用紙への転写の速度を低速度に制御する速度制御部とを備えたことを特徴とする画像形成装置。
【請求項２】
前記画像判定部は、前記画像データを分析し、該画像データに基づいて形成されるトナー像を、用紙上にトナーを転写させるトナー領域と、用紙上にトナーを転写させない非トナー領域とに分けたときに、該トナー像が用紙搬送方向についてあらかじめ定められた基準間隔以下の非トナー領域を有し、かつ、該非トナー領域に続く、用紙搬送方向後端側に、用紙搬送方向についてあらかじめ定められた基準幅以下のトナー領域が存在するトナー像である場合に、該トナー像を前記飛散トナー像であると判定するものであることを特徴とする請求項１記載の画像形成装置。
【発明の詳細な説明】
【技術分野】
【０００１】
本発明は、画像形成装置に関する。
【背景技術】
【０００２】
従来、複数枚の用紙に順次に画像を形成する画像形成装置において、先に画像が形成される用紙の後端が検出されてから、次に画像が形成される用紙の先端が検出されるまでの、画像形成の速度を制御することが知られている（例えば、特許文献１参照）。この特許文献１では、画像を形成する一連の用紙のサイズ、用紙の材質、用紙の枚数、後処理部数等に応じて画像形成の速度が制御される。
【０００３】
また、中間転写ベルト状に形成したトナー像を、搬送されてきた用紙に転写する画像形成装置において、転写の前に用紙の搬送速度を減速することが知られている（例えば、特許文献２参照）。この特許文献２では、トナー像が転写位置に来るタイミングと、用紙が転写位置に至るタイミングとが合うように用紙の搬送速度が減速される。
【先行技術文献】
【特許文献】
【０００４】
【特許文献１】特開２００７−１７１５７３号公報
【特許文献２】特開２００７−０８６７２６号公報
【発明の概要】
【発明が解決しようとする課題】
【０００５】
本発明は、用紙への転写の際におけるトナー像の飛散を抑制することができる画像形成装置を提供することを目的とするものである。
【課題を解決するための手段】
【０００６】
請求項１の画像形成装置は、
画像データに基づくトナー像を形成し、トナー像を、搬送されてきた用紙上に、用紙の搬送に合わせて、用紙の搬送方向前端側から後端側にかけて連続的に転写するトナー像形成部と、
上記トナー像形成部よりも用紙搬送方向下流側に配置され、トナー像形成部において用紙上に転写されたトナー像を用紙上に定着する定着部と、
上記トナー像形成部で形成されるトナー像が、用紙への転写の際にトナーの飛散を招く飛散トナー像であるか否かを判定する画像判定部と、
上記画像判定部によって上記飛散トナー像であることが判定された場合に、飛散トナー像ではないことが判定された場合と比較し、上記トナー像形成部における用紙の搬送速度およびトナー像の用紙への転写の速度を低速度に制御する速度制御部とを備えたことを特徴とする。
【０００７】
請求項２の画像形成装置は、請求項１の画像形成装置において、
上記画像判定部は、上記画像データを分析し、画像データに基づいて形成されるトナー像を、用紙上にトナーを転写させるトナー領域と、用紙上にトナーを転写させない非トナー領域とに分けたときに、トナー像が用紙搬送方向についてあらかじめ定められた基準間隔以下の非トナー領域を有し、かつ、非トナー領域に続く、用紙搬送方向後端側に、用紙搬送方向についてあらかじめ定められた基準幅以下のトナー領域が存在するトナー像である場合に、トナー像を上記飛散トナー像であると判定するものであることを特徴とする。
【発明の効果】
【０００８】
請求項１の画像形成装置によれば、用紙の搬送速度およびトナー像の用紙への転写の速度を常に一定速度で行う場合と比較して、用紙への転写の際におけるトナー像の飛散を抑制することができる。
【０００９】
請求項２の画像形成装置によれば、請求項１の画像形成装置において非トナー領域の間隔とトナー領域の幅に基づく判定を行わない場合と比較して、トナー像が飛散トナー像であるか否かを厳密に判定することができる。
【図面の簡単な説明】
【００１０】
【図１】本発明の一実施形態としての画像形成装置の概略構成図である。
【図２】トナー飛散が起きた画像を模式的に示す図である。
【図３】トナー飛散の発生メカニズムを説明する図である。
【図４】図１に示す制御部の、プロセススピードの設定に係る機能についての機能ブロック図である。
【図５】制御部で実行されるプロセススピードの設定に係る処理の流れを示すフローチャートである。
【発明を実施するための形態】
【００１１】
以下、本発明の実施の形態を説明する。
【００１２】
図１は、本発明の一実施形態としての画像形成装置の概略構成図である。
【００１３】
この画像形成装置１００は、イエロー（Ｙ）色、マゼンタ（Ｍ）色、シアン（Ｃ）色、および黒（Ｋ）色それぞれのトナーを用いてトナー像を形成するカラーのプリンタである。また、この画像形成装置１００は、ＹＭＣＫ各色のトナー像を形成する４台の画像形成エンジン２０Ｙ，２０Ｍ，２０Ｃ，２０Ｋが、用紙の搬送方向に沿って配置されたいわゆるタンデムタイプのプリンタとなっている。
【００１４】
この画像形成装置１００は、その下部に給紙台を２つ備えている。一方の給紙台１０ｎには普通紙が積み重ねられた状態に収容されている。他方の給紙台１０ｃには、コーティングによって表面の平滑さが普通紙よりも増したコート紙が積み重ねられた状態に収容されている。
【００１５】
画像形成にあたっては、いずれの給紙台の用紙を用いるか後述の制御部５０によって指示される。そして、指示された給紙台の用紙がピックアップロール１１によりその給紙台から１枚送り出され、搬送ロール１２により搬送路１２１上を矢印Ａ方向に搬送される。そして、用紙は、待機ロール１３によりそれ以降の搬送のタイミングが調整されてさらに搬送される。この待機ロール１３以降の搬送については後述する。
【００１６】
また、この画像形成装置１００には、上記のように４台の画像形成エンジン２０Ｙ，２０Ｍ，２０Ｃ，２０Ｋが用紙の搬送方向に沿って配置されている。各画像形成エンジン２０Ｙ，２０Ｍ，２０Ｃ，２０Ｋは、それぞれ、Ｙ色のトナー、Ｍ色のトナー、Ｃ色のトナー、およびＫ色のトナーを用いてトナー像を形成するエンジンである。これら４台の画像形成エンジン２０Ｙ，２０Ｍ，２０Ｃ，２０Ｋは、使用されるトナーが異なる点を除き、いずれも同一の構成を有する。ここでは、それら４台の画像形成エンジン２０Ｙ，２０Ｍ，２０Ｃ，２０Ｋを代表させて、１台の画像形成エンジン２０Ｋを取り挙げてその構成を説明する。
【００１７】
画像形成エンジン２０Ｋは、感光体２１を有し、その感光体２１の周囲に、帯電器２２、露光器２３、現像器２４、一次転写器２５、および感光体クリーナ２６が配置されている。ここで、一次転写器２５は、感光体２１との間に後述する中間転写ベルト３１を挟んだ位置に配置されている。
【００１８】
感光体２１は、円筒形状を有し、矢印Ｂ方向に回転しながら、その表面に、帯電を受け、さらに露光を受けて静電潜像が形成される。
【００１９】
帯電器２２は、回転している感光体２１を帯電する。
【００２０】
露光器２３には、後述する制御部５０から画像データが入力され、露光器２３からは、その入力された画像データに応じて変調された露光光が出力される。感光体２１は、帯電器２２による帯電を受けた後で露光器２３からの露光光の照射を受ける。これにより、感光体２１の表面に静電潜像が形成される。
【００２１】
感光体２１は、露光光の照射を受けて表面に静電潜像が形成された後、現像器２４により現像され、その感光体２１の表面にトナー像が形成される。
【００２２】
現像器２４による現像により感光体２１上に形成されたトナー像は、一次転写器２５の作用により中間転写ベルト３１上に転写される。
【００２３】
この転写後の感光体２１の表面に残留する残留トナー等は、感光体クリーナ２６によって感光体２１上から除去される。
【００２４】
中間転写ベルト３１は、駆動ロール３２やその他の複数のロール３３に架け回された、無端の、矢印Ｃ方向に循環移動するベルトである。
【００２５】
画像形成エンジン２０Ｙ，２０Ｍ，２０Ｃ，２０Ｋのそれぞれで形成されたＹ，Ｍ，Ｃ，Ｋの各トナーによるトナー像は、画像形成エンジン２０Ｙで形成されたＹトナーによるトナー像を最下層として順次重なるように中間転写ベルト３１上に転写される。そして、二次転写器３４が配置された二次転写位置に搬送される。これと同期して、待機ロール１３にまで搬送されてきていた用紙が二次転写位置に搬送され、二次転写器３４の作用により、中間転写ベルト３１上のトナー像が、搬送されてきた用紙上に転写される。このトナー像の転写を受けた用紙は、搬送ベルト１４上を矢印Ｄ方向にさらに搬送され、定着器４０による加圧および加熱により用紙上のトナー像がその用紙上に定着される。これにより、定着されたトナー像からなる画像が用紙上に形成される。画像が形成された用紙は、搬送ベルト１５により矢印Ｅ方向に搬送されて、この画像形成装置１００の外部に排出される。
【００２６】
二次転写器３４によりトナー像を用紙上に転写した後の中間転写ベルト３１はさらに循環移動し、その表面に残存するトナーがベルトクリーナ３５によって中間転写ベルト３１上から取り除かれる。
【００２７】
画像形成エンジン２０Ｙ，２０Ｍ，２０Ｃ，２０Ｋ、中間転写ベルト３１、および二次転写器３４を合わせたものが本発明にいうトナー像形成部の一例に相当する。また、定着器４０が、本発明にいう定着部の一例に相当する。
【００２８】
また、この画像形成装置１００には、制御部５０が設けられている。制御部５０には、画像データが入力される。この画像データは、１枚以上の用紙についての一連の画像を表すものである。また、この画像データには、この画像データが表す画像を形成する用紙として、普通紙とコート紙のうちのいずれの用紙を用いるかを指示する情報が付されている。さらに、この画像データには、この画像データが表す一連の画像を何部形成するかを表す部数を指示する情報も付されている。
【００２９】
制御部５０は、この画像データを、各画像形成エンジン２０Ｙ，２０Ｍ，２０Ｃ，２０Ｋの露光器２３における露光光の照射に適した画像データに変換する。制御部５０は、この変換後の画像データを、各露光器２３に送信し、露光器２３は、入力されてきたＹ，Ｍ，Ｃ，Ｋの各色に対応した各画像データに従って感光体２１に露光光を照射する。
【００３０】
さらに、制御部５０は、２つの給紙台１０ｎ，１０ｃのうちの、画像データに付された情報によって指示されている用紙を収容している給紙台に、用紙を送り出すように指示する。
【００３１】
これにより、各画像形成エンジン２０Ｙ，２０Ｍ，２０Ｃ，２０Ｋでは、画像データに基づく静電潜像の形成、延いては、この画像データに基づくトナー像の形成が行われる。そして、画像データに付された情報によって指示されている用紙に、そのトナー像が転写され定着される。
【００３２】
ここで、本実施形態の画像形成装置１００についての説明から、一旦離れ、一般的に、トナー像が用紙に転写される際に起きる恐れのあるトナー飛散という現象について説明する。
【００３３】
図２は、トナー飛散が起きた画像を模式的に示す図である。
【００３４】
この図２には、図１にも示す矢印Ａが示す用紙の搬送方向に等間隔を開けて複数本の線Ｓが並んだ画像が示されている。
【００３５】
そして、この図２の画像では、線Ｓの所々において、搬送方向後方に向かってトナーが飛散している。このようなトナー飛散は、画質を低下させる。
【００３６】
図３は、トナー飛散の発生メカニズムを説明する図である。
【００３７】
尚、この図３では、図１に示す中間転写ベルト３１と同等な要素が示されており、この要素には、図１と同じ符号が付されている。
【００３８】
図２に示すような複数本の線Ｓが並んだトナー像が、図１にも示す矢印Ｃが示す方向に循環移動中の中間転写ベルト３１から、矢印Ａが示す搬送方向に搬送されてきた用紙Ｐに転写される際、トナー像を形成するトナーには次のような力が働く。即ち、トナーを搬送方向後方に向かって飛散させようとする飛散力Ｆ１と、その飛散力Ｆ１に反してトナーを用紙の転写位置に押しとどめようとする反力Ｆ２との２つの力である。
【００３９】
図３のパート（Ａ）には、トナーに飛散力Ｆ１が働く様子が模式的に示され、図３のパート（Ｂ）には、トナーに反力Ｆ２が働く様子が模式的に示されている。
【００４０】
図３のパート（Ａ）に示すように、複数本の線Ｓが並んだトナー像が転写される際には、隣り合う線Ｓの間には空気がたまる。そして、この空気は、転写の際に中間転写ベルト３１が用紙Ｐに、この用紙Ｐの搬送方向（矢印Ａ）前方から後方に向かって押し付けられるのに伴い、この搬送方向後方に向かって流れる。この結果、隣り合う線Ｓのうち、搬送方向後方側の線Ｓを形成するトナーに空気流が当たって、このトナーを搬送方向後方に向かって飛散させようとする飛散力Ｆ１が働く。
【００４１】
一方、この各線Ｓを形成するトナーには、その飛散力Ｆ１に反してトナーを用紙の転写位置に押しとどめようとする反力Ｆ２が働く。この反力Ｆ２は、転写の際に加えられる圧力による荷重と、転写の際に加えられる静電力と、中間転写ベルト３１や用紙へのトナーの付着力等といった非静電力との合力である。
【００４２】
そして、上記の飛散力Ｆ１が反力Ｆ２を上回ると、トナーが搬送方向後方に飛散するトナー飛散が発生する。
【００４３】
このようなトナー飛散は、トナー像が、上記の線のように、トナーが存在するトナー領域の搬送方向の幅が細く、かつ、そのトナー領域の、この搬送方向前方側にある、トナーが存在しない非トナー領域の、用紙の搬送方向の間隔が狭いほど発生しやすい。
【００４４】
また、各画像形成エンジン２０Ｙ，２０Ｍ，２０Ｃ，２０Ｋの動作速度、中間転写ベルト３１の移動速度、用紙の搬送速度等を総合した、この画像形成装置１００の画像形成速度（プロセススピード）が速いほどトナー飛散が発生しやすい。これは、上記の飛散力Ｆ１の元となる空気流が用紙の搬送方向後方へと向かう力が、プロセススピードが速いほど大きくなるためである。
【００４５】
また、トナー飛散は、普通紙とコート紙とでは、コート紙の方が発生しやすい。これは、コート紙は、表面の平滑さが普通紙よりも増しており、上記の反力Ｆ２をなす３つの力のうちの１つである非静電力が弱くなるためである。
【００４６】
以上で、トナー飛散という現象についての説明を終了し、本実施形態の画像形成装置１００についての説明に戻る。
【００４７】
図１に示す本実施形態の画像形成装置１００では、制御部５０が、入力された画像データについて後述する分析を行い、その画像データに基づいて形成されるトナー像が、トナー飛散を招く飛散トナー像であるか否かを判定する。また、制御部５０は、入力された画像データに付された情報が指示する用紙が、コート紙であるか否かを判定する。
【００４８】
そして、制御部５０は、この判定の結果に応じて、入力された画像データに基づく画像形成についてのプロセススピードを制御する。
【００４９】
以下、この制御部５０を、このプロセススピードの制御機能に注目して説明する。
【００５０】
図４は、図１に示す制御部を、このプロセススピードの制御機能に注目して示した機能ブロック図である。
【００５１】
制御部５０は、画像判定部５１、用紙判定部５２、速度制御部５３、および画像形成指示部５４を有している。
【００５２】
画像判定部５１は、制御部５０に入力された画像データに基づいて形成されるトナー像が飛散トナー像であるか否かを判定する。この判定の詳細については後で説明する。この画像判定部５１が、本発明にいう画像判定部の一例に相当する。
【００５３】
用紙判定部５２は、制御部５０に入力された画像データに付された情報が指示する用紙が、コート紙であるか否かを判定する。この用紙判定部５２が、本発明にいう用紙判定部の一例に相当する。
【００５４】
速度制御部５３は、画像判定部５１および用紙判定部５２での判定結果に応じてプロセススピードを設定する。このプロセススピードの設定の詳細についても後で説明する。この速度制御部５３が、本発明にいう速度制御部の一例に相当する。
【００５５】
画像形成指示部５４は、各画像形成エンジン２０Ｙ，２０Ｍ，２０Ｃ，２０Ｋや、中間転写ベルト３１を、速度制御部５３で設定されたプロセススピードに応じて動作させ、制御部５０に入力された画像データに基づく画像形成を実行させる。
【００５６】
図５は、制御部で実行されるプロセススピードの設定に係る処理の流れを示すフローチャートである。
【００５７】
このフローチャートが示す処理は、この画像形成装置１００に、外部から画像データが送信されてくるとスタートする。尚、本実施形態では、この処理のスタート時には、速度制御部５３において、プロセススピードが予め定められた初期速度に設定されている。
【００５８】
処理がスタートすると、まず、用紙判定部５２が、入力された画像データに付された情報が指示する用紙が、コート紙であるか否かを判定する（ステップＳ１０１）。このステップＳ１０１では、今回、トナー像が転写される用紙が、トナー飛散が発生しやすいコート紙であるか否かが判定される。
【００５９】
コート紙であると判定された場合（ステップＳ１０１におけるＹｅｓ判定）、画像判定部５１が次の判定を行う。
【００６０】
この場合、画像判定部５１は、入力された画像データが表す画像中に、用紙の搬送方向の幅Ｌが、予め定められた基準幅Ｌｔ以下のトナー領域が存在しているか否かを判定する（ステップＳ１０２）。
【００６１】
基準幅Ｌｔ以下のトナー領域が存在していると判定された場合（ステップＳ１０２におけるＹｅｓ判定）、画像判定部５１は、さらに次の判定を行う。
【００６２】
この場合、画像判定部５１は、そのトナー領域の、用紙の搬送方向前方側にある非トナー領域の、この搬送方向の間隔Ｗが、予め定められた基準間隔Ｗｔ以下であるか否かを判定する（ステップＳ１０３）。
【００６３】
ステップＳ１０２およびステップＳ１０３によって、今回形成されるトナー像が、トナー飛散を発生させる飛散トナー像であるか否かが判定される。
【００６４】
非トナー領域の間隔Ｗが基準間隔Ｗｔ以下であると判定された場合（ステップＳ１０３におけるＹｅｓ判定）、速度制御部５３が、プロセススピードを、初期速度よりも遅くトナー飛散の発生が抑えられる低速度に設定する（ステップＳ１０４）。
【００６５】
そして、画像形成指示部５４が、各画像形成エンジン２０Ｙ，２０Ｍ，２０Ｃ，２０Ｋや中間転写ベルト３１を、設定されたプロセススピードに応じて動作させ、制御部５０に入力された画像データに基づく画像形成を実行させる（ステップＳ１０５）。
【００６６】
ステップＳ１０４を経てステップＳ１０５が実行される場合、初期速度であれば用紙への転写時に発生するトナー飛散の発生が抑えられ、用紙上に画質の高い画像が形成される。
【００６７】
ここで、ステップＳ１０１で普通紙であると判定された場合（ステップＳ１０１におけるＮｏ判定）には、ステップＳ１０２〜ステップＳ１０４の処理が省略されて処理がステップＳ１０５に進み、初期速度での画像形成が実行される。
【００６８】
また、ステップＳ１０２で基準幅Ｌｔ以下のトナー領域が存在していないと判定された場合（ステップＳ１０２におけるＮｏ判定）にも、処理がステップＳ１０５に進み、初期速度での画像形成が実行される。
【００６９】
さらに、ステップＳ１０３で非トナー領域の間隔Ｗが基準間隔Ｗｔ以下ではないと判定された場合（ステップＳ１０３におけるＮｏ判定）にも、処理がステップＳ１０５に進み、初期速度での画像形成が実行される。
【００７０】
このように、本実施形態では、トナー飛散が発生し難い普通紙にトナー像を転写する場合や、トナー像が飛散トナー像ではない場合には、初期速度での画像形成が行われ、画像形成についての生産性が高められている。
【００７１】
画像形成指示部５４は、１枚の用紙に画像が形成される度に、入力された画像データが表す一連の画像の全てについて、この画像データに付されている情報が指示する部数の画像形成が終了したか否かを判定する（ステップＳ１０６）。
【００７２】
一連の画像の全てについて全部数の画像形成が終了していないと判定された場合（ステップＳ１０６におけるＮｏ判定）、処理がステップＳ１０５に戻って、画像形成が続けられる。
【００７３】
一方、一連の画像の全てについて全部数の画像形成が終了したと判定された場合（ステップＳ１０６におけるＹｅｓ判定）、速度制御部５３が、プロセススピードを、初期速度に設定する（ステップＳ１０７）。ステップＳ１０４でプロセススピードが低速度に設定されていた場合には、このステップＳ１０７でプロセススピードが初期速度に戻される。一方、プロセススピードが初期速度のまま画像形成が行われた場合には、このステップＳ１０７では、プロセススピードが初期速度のまま維持される。このステップＳ１０７の処理により、次回、画像データが入力されたときには、このフローチャートが示す処理がプロセススピードが初期速度に設定された状態でスタートすることとなる。このステップＳ１０７の処理をもってこのフローチャートが示す処理は終了する。
【００７４】
尚、本実施形態では、本発明にいう速度制御部の一例として、用紙がコート紙に代表される平滑紙であり、さらに、入力された画像データに基づいて形成されるトナー像が飛散トナー像である場合に低速度に設定する速度制御部５３が例示されている。しかしながら、本発明の速度制御部はこれに限るものではない。本発明のトナー像加圧部は、例えば、用紙の種類に関わらず、入力された画像データに基づいて形成されるトナー像が飛散トナー像である場合には低速度に設定するものであっても良い。
【００７５】
また、本実施形態では、本発明にいう画像判定部の一例として、入力された画像データに基づいて形成されるトナー像が飛散トナー像であるか否かを、入力された画像データを分析することで判定する画像判定部５１が例示されている。しかしながら、本発明の画像判定部はこれに限るものではない。本発明の画像判定部は、例えば、中間転写ベルト上に形成されたトナー像をＣＣＤ（Ｃｈａｒｇｅ−Ｃｏｕｐｌｅｄ  Ｄｅｖｉｃｅ）で撮影し、撮影画像を分析して上記の判定を行うもの等であっても良い。
【００７６】
また、本実施形態では、本発明の画像形成装置として、タンデムタイプのカラープリンタを例示している。しかしながら、本発明の画像形成装置は、タンデムタイプ以外の例えばロータリタイプのカラープリンタであっても良く、あるいは、カラーではなくモノクロのプリンタ等であっても良い。また、本発明の画像形成装置は、プリンタ以外の、例えば複写機やファクシミリ等であっても良い。
【００７７】
次に、上述の実施形態に対応した実施例に基づいて本発明を更に具体的に説明するが、本発明は以下の実施例に何ら限定されるものではない。また、以下では、この実施例に対する比較例も適宜に参照される。
【００７８】
［第１実施例］
画像形成装置として、Ｆｕｊｉ  Ｘｅｒｏｘ  Ｃｏｌｏｒ１０００  Ｐｒｅｓｓ改造機を用い、この画像形成装置に、上述の図５のフローチャートが示す処理を実行する機能を搭載した。
【００７９】
また、この第１実施例では、上記の基準幅Ｌｔとして８ｄｏｔに相当する２［ｍｍ］を採用し、基準間隔Ｗｔとして５［ｍｍ］を採用した。
【００８０】
さらに、この第１実施例では、上記の初期速度として１２０［枚／分］を採用し、低速度として、この初期速度の２／３の速度を採用した。
【００８１】
そして、第１実施例では、温度が２８［℃］、湿度が８５［％］の高温高湿環境下において、Ａ３サイズのコート紙に対し、用紙搬送方向に相当する副走査方向の幅が０．５［ｍｍ］の線が、この副走査方向に２．５［ｍｍ］の間隔で複数本並んだ画像を形成した。この形成した画像について、トナー飛散の発生程度を目視にて評価した。
【００８２】
［第２実施例］
この第２実施例では、低速度として、初期速度の１／２の速度を採用した以外は、上記の第１実施例と同様の条件で画像を形成し、その画像について、トナー飛散の発生程度を目視にて評価した。
【００８３】
［第３実施例］
この第３実施例では、低速度として、初期速度の１／３の速度を採用した以外は、上記の第１実施例と同様の条件で画像を形成し、その画像について、トナー飛散の発生程度を目視にて評価した。
【００８４】
［比較例］
上記の第１〜第３実施例と比較するための比較例では、プロセススピードが常に上記の初期速度と同じ速度である以外は、上記の第１実施例と同様の条件で画像を形成し、その画像について、トナー飛散の発生程度を目視にて評価した。
【００８５】
以下の表１に、上記の比較例、および第１〜第３実施例それぞれについてのトナー飛散についての評価結果を示す。
【００８６】
【表１】
2014085508.tif 000003
【００８７】
まず、比較例で形成された画像には、トナー飛散が多数確認され、表１では、この評価結果が×印で示されている。
【００８８】
実施例１で形成された画像には、トナー飛散が確認されたものの、その発生の程度は、比較例で形成された画像におけるトナー飛散の発生の程度に比べて抑えられたものとなっており、表１では、この評価結果が三角印で示されている。
【００８９】
実施例２および実施例３で形成された画像では、いずれも、トナー飛散の発生の程度は、実施例１で形成された画像におけるトナー飛散の発生の程度に比べてさらに抑えられたものとなっており、表１では、この評価結果が丸印で示されている。
【００９０】
この表１から、プロセススピードを遅くすることによりトナー飛散の発生の程度が抑えられ、さらに、その抑制の程度が、プロセススピードが遅いほど高いことが分かる。
【符号の説明】
【００９１】
１０ｎ，１０ｃ    給紙台
１１    ピックアップロール
１２    搬送ロール
１３    待機ロール
１４，１５    搬送ベルト
２０Ｙ，２０Ｍ，２０Ｃ，２０Ｋ    画像形成エンジン
２１    感光体
２２    帯電器
２３    露光器
２４    現像器
２５    一次転写器
２６    感光体クリーナ
３１    中間転写ベルト
３２    駆動ロール
３３    ロール
３４    二次転写器
３５    ベルトクリーナ
４０    定着器
５０    制御部
５１    画像判定部
５２    用紙判定部
５３    速度制御部
５４    画像形成指示部
１２１    搬送路
【図１】
2014085508.tif 000004
【図２】
2014085508.tif 000005
【図３】
2014085508.tif 000006
【図４】
2014085508.tif 000007
【図５】
2014085508.tif 000008